【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
ワイヤレス通信システムにおけるチャネルアクセスパラメータを構成するための方法であって、前記方法は、
アクセスポイントにおいて、
複数の局のうちの局の第１のサブセットのための第１の拡張分散チャネルアクセス（ＥＤＣＡ）パラメータと、局の前記第１のサブセットは、マルチユーザアップリンク送信を送信するための第１の送信能力を有する、
前記複数の局のうちの局の第２のサブセットのための第２のＥＤＣＡパラメータと、局の前記第２のサブセットは、第２の送信能力を有し、前記第２の送信能力は、前記第１の送信能力とは異なる、
ここにおいて、前記第１のＥＤＣＡパラメータを選択することが、マルチユーザアップリンク送信を送信するための前記第１の送信能力を有する局の前記第１のサブセットに基づいて、局の前記第２のサブセットのための送信機会（ＴＸＯＰ）限度または最小競合ウィンドウ（ＣＷｍｉｎ）よりも、局の前記第１のサブセットのためのより短い前記ＴＸＯＰ限度またはより大きいＣＷｍｉｎを設定することを備える、
を選択することと、
前記第１のＥＤＣＡパラメータまたは前記第２のＥＤＣＡパラメータを含む情報要素を生成することと、
前記情報要素を送信することと
を備える、方法。
【請求項２】
前記第１のＥＤＣＡパラメータを含む前記情報要素が、チャネル幅とチャネル中心周波数とのうちの少なくとも１つを備える、請求項１に記載の方法。
【請求項３】
前記情報要素が前記情報要素の要素識別子（ＩＤ）フィールド中に一意の値を備える、請求項１に記載の方法。
【請求項４】
前記第１のＥＤＣＡパラメータを含む前記情報要素の前記ＩＤフィールドが可変長のビットを備え、前記可変長のビットが、信号のタイプとサービスプロバイダとのうちの少なくとも１つに基づく、請求項３に記載の方法。
【請求項５】
前記情報要素が要素識別子（ＩＤ）フィールドと拡張フィールドとを備え、ここにおいて、前記要素ＩＤフィールドの値と前記拡張フィールドの値とが情報要素のタイプを一意に識別する、請求項１に記載の方法。
【請求項６】
前記情報要素を送信することが、前記複数の局のうちの局の前記第１のサブセットによって復号可能な物理レイヤコンバージェンスプロシージャ（ＰＬＣＰ）プロトコルデータユニット（ＰＰＤＵ）中で前記情報要素を送信することを備え、ここにおいて、前記情報要素が可変長を有する、請求項１に記載の方法。
【請求項７】
前記情報要素を送信することが、局の前記第１のサブセットのみにアドレス指定されるマルチキャストまたはユニキャスト送信中の物理レイヤコンバージェンスプロシージャ（ＰＬＣＰ）プロトコルデータユニット（ＰＰＤＵ）中で前記情報要素を送信することを備える、請求項１に記載の方法。
【請求項８】
局の前記第２のサブセットの各々が、シングルユーザキャリア検知多重アクセス（ＣＳＭＡ）モードでアップリンク送信を送るように構成された、請求項１に記載の方法。
【請求項９】
局の前記第２のサブセットの各々が、前記アクセスポイントに送られるフレーム中に含まれる動作モードインジケータ（ＯＭＩ）Ａ制御フィールド中のアップリンクマルチユーザ無効フィールド中に１の値を設定する、請求項８に記載の方法。
【請求項１０】
局の前記第１のサブセットが８０２．１１ａｘ規格に適合し、局の前記第２のサブセットが８０２．１１ａｃ以前の規格に適合する、請求項１に記載の方法。
【請求項１１】
複数の局のうちの局の第１のサブセットのための第１の拡張分散チャネルアクセス（ＥＤＣＡ）パラメータを選択することと、局の前記第１のサブセットは、マルチユーザアップリンク送信を送信するための第１の送信能力を有する、
前記複数の局のうちの局の第２のサブセットのための第２のＥＤＣＡパラメータを選択することと、局の前記第２のサブセットは、第２の送信能力を有し、前記第２の送信能力は、前記第１の送信能力とは異なる、
ここにおいて、前記第１のＥＤＣＡパラメータを選択することが、マルチユーザアップリンク送信を送信するための前記第１の送信能力を有する局の前記第１のサブセットに基づいて、局の前記第２のサブセットのための送信機会（ＴＸＯＰ）限度または最小競合ウィンドウ（ＣＷｍｉｎ）よりも、局の前記第１のサブセットのためのより短い前記ＴＸＯＰ限度またはより大きいＣＷｍｉｎを設定することを備える、
前記第１のＥＤＣＡパラメータと前記第２のＥＤＣＡパラメータとのうちの１つを含む情報要素を生成することと
を行うように構成された処理システムと、
前記情報要素を送信するように構成された送信機と
を備える、ワイヤレス通信のための装置。
【請求項１２】
前記第１のＥＤＣＡパラメータを含む前記情報要素が、チャネル幅とチャネル中心周波数とのうちの少なくとも１つを備える、請求項１１に記載の装置。
【請求項１３】
前記情報要素が前記情報要素の要素識別子（ＩＤ）フィールド中に一意の値を備える、請求項１１に記載の装置。
【請求項１４】
前記第１のＥＤＣＡパラメータを含む前記情報要素の前記ＩＤフィールドが可変長のビットを備え、前記可変長のビットが、信号のタイプとサービスプロバイダとのうちの少なくとも１つに基づく、請求項１３に記載の装置。
【請求項１５】
前記情報要素が要素識別子（ＩＤ）フィールドと拡張フィールドとを備え、ここにおいて、前記要素ＩＤフィールドの値と前記拡張フィールドの値とが情報要素のタイプを一意に識別する、請求項１１に記載の装置。
【請求項１６】
前記送信機が、前記複数の局のうちの局の前記第１のサブセットによって復号可能な物理レイヤコンバージェンスプロシージャ（ＰＬＣＰ）プロトコルデータユニット（ＰＰＤＵ）中で前記情報要素を送信するようにさらに構成され、ここにおいて、前記情報要素が可変長を有する、請求項１１に記載の装置。
【請求項１７】
前記送信機が、局の前記第１のサブセットのみにアドレス指定されるマルチキャストまたはユニキャスト送信中の物理レイヤコンバージェンスプロシージャ（ＰＬＣＰ）プロトコルデータユニット（ＰＰＤＵ）中で前記情報要素を送信するようにさらに構成された、請求項１１に記載の装置。
【請求項１８】
局の前記第２のサブセットの各々が、シングルユーザキャリア検知多重アクセス（ＣＳＭＡ）モードでアップリンク送信を送るように構成された、請求項１１に記載の装置。
【請求項１９】
局の前記第１のサブセットが８０２．１１ａｘ規格に適合する、請求項１１に記載の装置。
【請求項２０】
実行されたとき、装置に、
複数の局のうちの局の第１のサブセットのための第１の拡張分散チャネルアクセス（ＥＤＣＡ）パラメータと、局の前記第１のサブセットは、マルチユーザアップリンク送信を送信するための第１の送信能力を有する、
前記複数の局のうちの局の第２のサブセットのための第２のＥＤＣＡパラメータと、局の前記第２のサブセットは、第２の送信能力を有し、前記第２の送信能力は、前記第１の送信能力とは異なる、
ここにおいて、前記第１のＥＤＣＡパラメータを選択することが、マルチユーザアップリンク送信を送信するための前記第１の送信能力を有する局の前記第１のサブセットに基づいて、局の前記第２のサブセットのための送信機会（ＴＸＯＰ）限度または最小競合ウィンドウ（ＣＷｍｉｎ）よりも、局の前記第１のサブセットのためのより短い前記ＴＸＯＰ限度またはより大きいＣＷｍｉｎを設定することを備える、
を選択することと、
前記第１のＥＤＣＡパラメータと前記第２のＥＤＣＡパラメータとのうちの１つを含む情報要素を生成することと、
前記情報要素を送信することと
を行わせるコードを備える非一時的コンピュータ可読媒体。
【請求項２１】
前記第１のＥＤＣＡパラメータを含む前記情報要素が、チャネル幅とチャネル中心周波数とのうちの少なくとも１つを備える、請求項２０に記載の非一時的コンピュータ可読媒体。
【請求項２２】
前記情報要素が前記情報要素の要素識別子（ＩＤ）フィールド中に一意の値を備える、請求項２０に記載の非一時的コンピュータ可読媒体。
【請求項２３】
前記第１のＥＤＣＡパラメータを含む前記情報要素の前記ＩＤフィールドが可変長のビットを備え、前記可変長のビットが、信号のタイプとサービスプロバイダとのうちの少なくとも１つに基づく、請求項２２に記載の非一時的コンピュータ可読媒体。
【請求項２４】
前記情報要素が要素識別子（ＩＤ）フィールドと拡張フィールドとを備え、ここにおいて、前記要素ＩＤフィールドの値と前記拡張フィールドの値とが情報要素のタイプを一意に識別する、請求項２０に記載の非一時的コンピュータ可読媒体。
【請求項２５】
前記情報要素を送信することが、前記複数の局のうちの局の前記第１のサブセットによって復号可能な物理レイヤコンバージェンスプロシージャ（ＰＬＣＰ）プロトコルデータユニット（ＰＰＤＵ）中で前記情報要素を送信することを備え、ここにおいて、前記情報要素が可変長を有する、請求項２０に記載の非一時的コンピュータ可読媒体。
【請求項２６】
前記情報要素を送信することが、局の前記第１のサブセットのみにアドレス指定されるマルチキャストまたはユニキャスト送信中の物理レイヤコンバージェンスプロシージャ（ＰＬＣＰ）プロトコルデータユニット（ＰＰＤＵ）中で前記情報要素を送信することを備える、請求項２０に記載の非一時的コンピュータ可読媒体。
【請求項２７】
局の前記第２のサブセットの各々が、シングルユーザキャリア検知多重アクセス（ＣＳＭＡ）モードでアップリンク送信を送るように構成された、請求項２０に記載の非一時的コンピュータ可読媒体。
【請求項２８】
局の前記第２のサブセットの各々が、前記装置に送られるフレーム中に含まれる動作モードインジケータ（ＯＭＩ）Ａ制御フィールド中のアップリンクマルチユーザ無効フィールド中に１の値を設定する、請求項２７に記載の非一時的コンピュータ可読媒体。
【請求項２９】
実行されたとき、前記装置に、第２のワイヤレスデバイスをワイヤレスデバイスのサブセットに分類させるコードをさらに備え、ワイヤレスデバイスの前記サブセットがワイヤレスデバイスの複数のサブセットのうちの１つであり、ここにおいて、前記分類が、前記第２のワイヤレスデバイスのタイプと前記第２のワイヤレスデバイスのマルチユーザアップリンク能力とに基づく、請求項２０に記載の非一時的コンピュータ可読媒体。
【請求項３０】
実行されたとき、前記装置に、前記ＥＤＣＡパラメータの前記選択のインジケーションを送信させるコードをさらに備える、請求項２０に記載の非一時的コンピュータ可読媒体。
【手続補正２】
【補正対象書類名】明細書
【補正対象項目名】００８３
【補正方法】変更
【補正の内容】
【００８３】
[0087]上記は本開示の態様を対象とするが、本開示の他の態様およびさらなる態様は、それの基本的範囲から逸脱することなく考案され得、それの範囲は以下の特許請求の範囲によって決定される。
以下に本願の出願当初の特許請求の範囲に記載された発明を付記する。
［請求項１］
ワイヤレス通信システムにおけるチャネルアクセスパラメータを構成するための方法であって、前記方法は、
アクセスポイントにおいて、
複数の局のうちの局の第１のサブセットのための第１の拡張分散チャネルアクセス（ＥＤＣＡ）パラメータと、局の前記第１のサブセットは、マルチユーザアップリンク送信を送信することが可能である、
前記複数の局のうちの局の第２のサブセットのための第２のＥＤＣＡパラメータと、
ここにおいて、前記第１のＥＤＣＡパラメータが、局の前記第２のサブセットのための前記第２のＥＤＣＡパラメータよりも、局の前記第１のサブセットのためのより短い送信機会（ＴＸＯＰ）限度およびより大きい最小競合ウィンドウ（ＣＷｍｉｎ）のうちの少なくとも１つを設定することを備える、
を選択することと、
前記第１のＥＤＣＡパラメータと前記第２のＥＤＣＡパラメータとのうちの１つを含む情報要素を生成することと、
前記情報要素を送信することと
を備える、方法。
［Ｃ２］
前記第１のＥＤＣＡパラメータを含む前記情報要素が、チャネル幅とチャネル中心周波数とのうちの少なくとも１つを備える、Ｃ１に記載の方法。
［Ｃ３］
前記情報要素が前記情報要素の要素識別子（ＩＤ）フィールド中に一意の値を備える、Ｃ１に記載の方法。
［Ｃ４］
前記第１のＥＤＣＡパラメータを含む前記情報要素の前記ＩＤフィールドが可変長のビットを備え、前記可変長のビットが、信号のタイプとサービスプロバイダとのうちの少なくとも１つに基づく、Ｃ３に記載の方法。
［Ｃ５］
前記情報要素が要素識別子（ＩＤ）フィールドと拡張フィールドとを備え、ここにおいて、前記要素ＩＤフィールドの値と前記拡張フィールドの値とが情報要素のタイプを一意に識別する、Ｃ１に記載の方法。
［Ｃ６］
前記情報要素を送信することが、前記複数の局のうちの局の前記第１のサブセットによって復号可能な物理レイヤコンバージェンスプロシージャ（ＰＬＣＰ）プロトコルデータユニット（ＰＰＤＵ）中で前記情報要素を送信することを備え、ここにおいて、前記情報要素が可変長を有する、Ｃ１に記載の方法。
［Ｃ７］
前記情報要素を送信することが、局の前記第１のサブセットのみにアドレス指定されるマルチキャストまたはユニキャスト送信中の物理レイヤコンバージェンスプロシージャ（ＰＬＣＰ）プロトコルデータユニット（ＰＰＤＵ）中で前記情報要素を送信することを備える、Ｃ１に記載の方法。
［Ｃ８］
局の前記第２のサブセットの各々が、シングルユーザキャリア検知多重アクセス（ＣＳＭＡ）モードでアップリンク送信を送るように構成された、Ｃ１に記載の方法。
［Ｃ９］
局の前記第２のサブセットの各々が、前記アクセスポイントに送られるフレーム中に含まれる動作モードインジケータ（ＯＭＩ）Ａ制御フィールド中のアップリンクマルチユーザ無効フィールド中に１の値を設定する、Ｃ８に記載の方法。
［Ｃ１０］
局の前記第１のサブセットが８０２．１１ａｘ規格に適合し、局の前記第２のサブセットが８０２．１１ａｃ以前の規格に適合する、Ｃ１に記載の方法。
［Ｃ１１］
複数の局のうちの局の第１のサブセットのための第１の拡張分散チャネルアクセス（ＥＤＣＡ）パラメータを選択することと、局の前記第１のサブセットは、マルチユーザアップリンク送信を送信することが可能である、
前記複数の局のうちの局の第２のサブセットのための第２のＥＤＣＡパラメータを選択することと、ここにおいて、前記第１のＥＤＣＡパラメータが、局の前記第２のサブセットのための前記第２のＥＤＣＡパラメータよりも、局の前記第１のサブセットのためのより短い送信機会（ＴＸＯＰ）限度およびより大きい最小競合ウィンドウ（ＣＷｍｉｎ）のうちの少なくとも１つを設定することを備える、
前記第１のＥＤＣＡパラメータと前記第２のＥＤＣＡパラメータとのうちの１つを含む情報要素を生成することと
を行うように構成された処理システムと、
前記情報要素を送信するように構成された送信機と
を備える、ワイヤレス通信のための装置。
［Ｃ１２］
前記第１のＥＤＣＡパラメータを含む前記情報要素が、チャネル幅とチャネル中心周波数とのうちの少なくとも１つを備える、Ｃ１１に記載の装置。
［Ｃ１３］
前記情報要素が前記情報要素の要素識別子（ＩＤ）フィールド中に一意の値を備える、Ｃ１１に記載の装置。
［Ｃ１４］
前記第１のＥＤＣＡパラメータを含む前記情報要素の前記ＩＤフィールドが可変長のビットを備え、前記可変長のビットが、信号のタイプとサービスプロバイダとのうちの少なくとも１つに基づく、Ｃ１３に記載の装置。
［Ｃ１５］
前記情報要素が要素識別子（ＩＤ）フィールドと拡張フィールドとを備え、ここにおいて、前記要素ＩＤフィールドの値と前記拡張フィールドの値とが情報要素のタイプを一意に識別する、Ｃ１１に記載の装置。
［Ｃ１６］
前記送信機が、前記複数の局のうちの局の前記第１のサブセットによって復号可能な物理レイヤコンバージェンスプロシージャ（ＰＬＣＰ）プロトコルデータユニット（ＰＰＤＵ）中で前記情報要素を送信するようにさらに構成され、ここにおいて、前記情報要素が可変長を有する、Ｃ１１に記載の装置。
［Ｃ１７］
前記送信機が、局の前記第１のサブセットのみにアドレス指定されるマルチキャストまたはユニキャスト送信中の物理レイヤコンバージェンスプロシージャ（ＰＬＣＰ）プロトコルデータユニット（ＰＰＤＵ）中で前記情報要素を送信するようにさらに構成された、Ｃ１１に記載の装置。
［Ｃ１８］
局の前記第２のサブセットの各々が、シングルユーザキャリア検知多重アクセス（ＣＳＭＡ）モードでアップリンク送信を送るように構成された、Ｃ１１に記載の装置。
［Ｃ１９］
局の前記第１のサブセットが８０２．１１ａｘ規格に適合する、Ｃ１１に記載の装置。
［Ｃ２０］
実行されたとき、装置に、
複数の局のうちの局の第１のサブセットのための第１の拡張分散チャネルアクセス（ＥＤＣＡ）パラメータと、局の前記第１のサブセットは、マルチユーザアップリンク送信を送信することが可能である、
前記複数の局のうちの局の第２のサブセットのための第２のＥＤＣＡパラメータと、
ここにおいて、前記第１のＥＤＣＡパラメータが、局の前記第２のサブセットのための前記第２のＥＤＣＡパラメータよりも、局の前記第１のサブセットのためのより短い送信機会（ＴＸＯＰ）限度およびより大きい最小競合ウィンドウ（ＣＷｍｉｎ）のうちの少なくとも１つを設定することを備える、
を選択することと、
前記第１のＥＤＣＡパラメータと前記第２のＥＤＣＡパラメータとのうちの１つを含む情報要素を生成することと、
前記情報要素を送信することと
を行わせるコードを備える非一時的コンピュータ可読媒体。
［Ｃ２１］
前記第１のＥＤＣＡパラメータを含む前記情報要素が、チャネル幅とチャネル中心周波数とのうちの少なくとも１つを備える、Ｃ２０に記載の非一時的コンピュータ可読媒体。
［Ｃ２２］
前記情報要素が前記情報要素の要素識別子（ＩＤ）フィールド中に一意の値を備える、Ｃ２０に記載の非一時的コンピュータ可読媒体。
［Ｃ２３］
前記第１のＥＤＣＡパラメータを含む前記情報要素の前記ＩＤフィールドが可変長のビットを備え、前記可変長のビットが、信号のタイプとサービスプロバイダとのうちの少なくとも１つに基づく、Ｃ２２に記載の非一時的コンピュータ可読媒体。
［Ｃ２４］
前記情報要素が要素識別子（ＩＤ）フィールドと拡張フィールドとを備え、ここにおいて、前記要素ＩＤフィールドの値と前記拡張フィールドの値とが情報要素のタイプを一意に識別する、Ｃ２０に記載の非一時的コンピュータ可読媒体。
［Ｃ２５］
前記情報要素を送信することが、前記複数の局のうちの局の前記第１のサブセットによって復号可能な物理レイヤコンバージェンスプロシージャ（ＰＬＣＰ）プロトコルデータユニット（ＰＰＤＵ）中で前記情報要素を送信することを備え、ここにおいて、前記情報要素が可変長を有する、Ｃ２０に記載の非一時的コンピュータ可読媒体。
［Ｃ２６］
前記情報要素を送信することが、局の前記第１のサブセットのみにアドレス指定されるマルチキャストまたはユニキャスト送信中の物理レイヤコンバージェンスプロシージャ（ＰＬＣＰ）プロトコルデータユニット（ＰＰＤＵ）中で前記情報要素を送信することを備える、Ｃ２０に記載の非一時的コンピュータ可読媒体。
［Ｃ２７］
局の前記第２のサブセットの各々が、シングルユーザキャリア検知多重アクセス（ＣＳＭＡ）モードでアップリンク送信を送るように構成された、Ｃ２０に記載の非一時的コンピュータ可読媒体。
［Ｃ２８］
局の前記第２のサブセットの各々が、前記装置に送られるフレーム中に含まれる動作モードインジケータ（ＯＭＩ）Ａ制御フィールド中のアップリンクマルチユーザ無効フィールド中に１の値を設定する、Ｃ２７に記載の非一時的コンピュータ可読媒体。
［Ｃ２９］
実行されたとき、前記装置に、第２のワイヤレスデバイスをワイヤレスデバイスのサブセットに分類させるコードをさらに備え、ワイヤレスデバイスの前記サブセットがワイヤレスデバイスの複数のサブセットのうちの１つであり、ここにおいて、前記分類が、前記第２のワイヤレスデバイスのタイプと前記第２のワイヤレスデバイスのマルチユーザアップリンク能力とに基づく、Ｃ２０に記載の非一時的コンピュータ可読媒体。
［Ｃ３０］
実行されたとき、前記装置に、前記ＥＤＣＡパラメータの前記選択のインジケーションを送信させるコードをさらに備える、Ｃ２０に記載の非一時的コンピュータ可読媒体。